(57)【要約】【課題】通信端末からの発呼に応じて所定の敷地内に設置された制御対象の機器の制御を行うホームセキュリティシステムにおいて、利用者の利便性を向上させる。【解決手段】通信端末２００からの発呼に応じて予め定められた敷地内に設置された制御対象の機器の制御を行うホームセキュリティシステムにおいて、セキュリティ制御装置１００は、通信端末２００からの発呼に伴って発信先電話番号と関連づけられたサブ番号を受信し、サブ番号と関連づけて制御対象の機器と制御内容とを記憶する制御内容記憶部を参照することで、受信したサブ番号に対応する制御対象の機器と制御内容を特定し、特定した制御対象の機器１２０に対して、特定した制御内容に基づく制御を行う。【選択図】図１
2009302733.tif 000002
【特許請求の範囲】
【請求項１】
通信端末からの発呼に応じて予め定められた敷地内に設置された制御対象の機器の制御を行うホームセキュリティシステムであって、
通信端末からの発呼に伴って発信先電話番号と関連づけられたサブ番号を受信する受信手段と、
サブ番号と関連づけて制御対象の機器と制御内容とを記憶する記憶手段と、
前記記憶手段を参照することで、前記受信したサブ番号に対応する制御対象の機器と制御内容を特定し、特定した制御対象の機器に対して、特定した制御内容に基づく制御を行う制御手段と、
を備えるホームセキュリティシステム。
【請求項２】
請求項１に記載のホームセキュリティシステムにおいて、
通信端末の認証を行う認証手段であって、通信端末からの発呼に対応して、所定間隔に規則的に有声音が発せられる音声を当該通信端末に送信し、当該音声の応答として前記通信端末から当該音声の再生中に発信された応答信号を受信し、当該応答信号の発信タイミングが予め定められた当該音声の再生タイミングに適合し、かつ当該応答信号が予め定められた許可信号に適合する場合、当該通信端末の認証を成功と判定する認証手段を備え、
前記制御手段は、認証手段による認証が成功した場合のみ、特定した制御内容に基づく制御対象の機器に対する制御を行う、
ことを特徴とするホームセキュリティシステム。
【発明の詳細な説明】
【技術分野】
【０００１】
本発明は、通信端末からの信号に基づいて予め定められた敷地内に設置された制御対象の機器の制御を行うホームセキュリティシステムに関する。
【背景技術】
【０００２】
近年、ブラウザを搭載しインターネットを利用できる携帯電話機も普及しつつあり、パーソナルコンピュータ（ＰＣ）のみならず携帯電話機によっても、様々なウェブ（Ｗｅｂ）ページを閲覧及び操作することが可能になっている。例えば、特許文献１には、携帯電話機のブラウザ機能を利用して、異常事態に対処するために外出先から家屋内外の機器を制御することができるホームセキュリティシステムが開示されている。
【特許文献１】特開２００４−１２８８２１号公報
【発明の開示】
【発明が解決しようとする課題】
【０００３】
ところで、例えば高齢者など携帯電話の操作に慣れていない利用者の場合、ブラウザ操作を敬遠することも考えられる。
【０００４】
そこで、ブラウザの利用に慣れていない利用者にも配慮して、利用者が携帯電話や固定電話などの通信端末から所定の電話番号に発呼を行い、その発呼に応じて提供される音声案内に従って、所望の機器および所望の制御内容に対応するＰＢ信号（Ｐｕｓｈ  Ｂｕｔｔｏｎ  Ｄｉａｌ  Ｓｉｇｎａｌ）を通信端末を介して出力することで、所望の機器を制御することも考えられる。
【０００５】
しかしながら、利用者が音声案内に従って通信端末の操作を行う場合、利用者によっては音声案内に従って複数の操作を行うことを煩わしく感じる、あるいは音声案内の時間が長いと感じることなどもあり、音声案内に従った機器の制御は必ずしも利便性に優れたシステムとは言えない。
【０００６】
本発明は、通信端末からの発呼に応じて所定の敷地内に設置された制御対象の機器の制御を行うホームセキュリティシステムにおいて、利用者の利便性を向上させることを目的とする。
【課題を解決するための手段】
【０００７】
本発明に係るホームセキュリティシステムは、通信端末からの発呼に応じて予め定められた敷地内に設置された制御対象の機器の制御を行うホームセキュリティシステムであって、通信端末からの発呼に伴って発信先電話番号と関連づけられたサブ番号を受信する受信手段と、サブ番号と関連づけて制御対象の機器と制御内容とを記憶する記憶手段と、
前記記憶手段を参照することで、前記受信したサブ番号に対応する制御対象の機器と制御内容を特定し、特定した制御対象の機器に対して、特定した制御内容に基づく制御を行う制御手段と、を備えることを特徴する。
【０００８】
本発明に係るホームセキュリティシステムによれば、通信端末からの発呼に伴って発信先電話番号と関連づけられたサブ番号に対応する制御対象の機器と制御内容を特定し、特定した制御対象の機器に対して、特定した制御内容に基づく制御を行うように構成したので、利用者は通信端末を介して発信先電話番号と関連づけてサブ番号を発呼すれば、所望の機器に対して所望の制御を行わせることができる。
【０００９】
本発明に係るホームセキュリティシステムの一つの態様では、通信端末の認証を行う認証手段であって、通信端末からの発呼に対応して、所定間隔に規則的に有声音が発せられる音声を当該通信端末に送信し、当該音声の応答として前記通信端末から当該音声の再生中に発信された応答信号を受信し、当該応答信号の発信タイミングが予め定められた当該音声の再生タイミングに適合し、かつ当該応答信号が予め定められた許可信号に適合する場合、当該通信端末の認証を成功と判定する認証手段を備え、前記制御手段は、認証手段による認証が成功した場合のみ、特定した制御内容に基づく制御対象の機器に対する制御を行う、ことを特徴とする。
【００１０】
本発明に係るホームセキュリティシステムの一つの態様によれば、音声の応答として通信端末から当該音声の再生中に発信された応答信号を受信し、応答信号の発信タイミングが予め定められた当該音声の再生タイミングに適合し、かつ当該応答信号が予め定められた許可信号に適合する場合、当該通信端末の認証を成功と判定し、認証に成功した場合のみ、制御対象の機器に対する制御を行うように構成したので、利用者は、通信端末を介して音声の予め定められた再生タイミングに予め定められた応答信号を発信するように指示すれば、認証を行うことができる。
【発明の効果】
【００１１】
本発明によれば、通信端末からの発呼に伴って発信先電話番号と関連づけられたサブ番号に対応する制御対象の機器と制御内容を特定し、特定した制御対象の機器に対して、特定した制御内容に基づく制御を行うように構成したので、利用者は通信端末を介して発信先電話番号と関連づけてサブ番号を発呼すれば、所望の機器に対して所望の制御を行わせることができる。よって、ホームセキュリティシステムにおける利用者の利便性を向上させることができる。
【発明を実施するための最良の形態】
【００１２】
本発明を実施するための最良の形態（以下、「実施形態」と称す）について、以下図面を用いて説明する。
【００１３】
図１は、本実施形態に係るホームセキュリティシステムの全体構成を示す図である。本実施形態では、通信端末２００がネットワーク３００を介してセキュリティ制御装置１００に対して発呼を行い、セキュリティ制御装置１００が当該発呼に応じて、通信端末２００により指定された制御対象の機器１２０の制御を行う。
【００１４】
より具体的には、セキュリティ制御装置１００に割り当てられた電話番号（発信先電話番号）と、利用者が希望する制御対象の機器および制御内容に対応するサブ番号との間に例えば「＊」を付加することにより、互いを関連づけて、通信端末２００がセキュリティ制御装置１００に対して発呼を行う。例えば、セキュリティ制御装置１００に割り当てられた電話番号が「００−１１１１−１１１１」で、利用者が希望する制御対象の機器および制御内容に対応するサブ番号が「３３３３」である場合、通信端末２００は、利用者の発呼操作により「００−１１１１−１１１１＊３３３３」を発信番号として発呼を行う。セキュリティ制御装置１００は、その発呼を受けて、発信先電話番号に関連づけられたサブ番号を取得して、そのサブ番号に予め対応付けられている制御対象の機器および制御内容を特定し、当該機器の制御を行う。このように、本実施形態では、発信先電話番号とサブ番号とを関連づけて、通信端末２００がセキュリティ制御装置１００に対して発呼さえ行えば、サブ番号をパラメータとして制御対象の機器および制御内容が特定され、所望の制御が行われる。よって、本実施形態では、例えば利用者が音声案内に従って通信端末の操作を行う場合に比べて、利用者の操作内容を単純化することができ、利用者の利便性を向上させることができる。
【００１５】
なお、本実施形態において、制御対象となる機器とは、家屋あるいは家屋周辺に設置され、自動制御可能な汎用の機器であり、例えば、玄関ドアの施錠・開錠を自動で行う機器、エアコンの起動・停止を自動で行う機器、風呂の給湯や湯沸かしを自動で行う機器、室内灯の点灯・消灯を自動で行う機器などである。つまり、本実施形態に係るホームセキュリティシステムでは、通信端末２００からセキュリティ制御装置１００に発呼を行うことで、玄関ドアの施錠・開錠、エアコンの起動・停止、風呂の給湯や湯沸かし、室内灯の点灯・消灯などを自動で行うことができる。
【００１６】
続いて、セキュリティ制御装置１００の構成について図２を参照してさらに説明する。
【００１７】
図２は、セキュリティ制御装置１００の機能ブロックを示す図である。図２において、ＣＰＵ１０は、ＲＯＭ１２に記憶されたＢＩＯＳプログラムなどの基本的な制御プログラムをＲＡＭ１４に展開して、バス９０を介して各部を制御し、起動処理などを行う。さらに、ＣＰＵ１０は、記憶装置３０に記憶されたプログラム４０をＲＡＭ１４に展開して、各種機能を実現する。
【００１８】
通信インタフェース（Ｉ／Ｆ）７２は、ネットワーク３００を介して通信を行うためのインタフェースであり、例えば通信端末２００からの発呼を受け付ける。外部インタフェース（Ｉ／Ｆ）７０は、各制御対象の機器に接続され、機器に対する制御信号を出力する。
【００１９】
また、回線制御部４２は、通信端末２００からの発呼を通信Ｉ／Ｆ７２を介して受け付け、発呼に伴う発信元電話番号およびサブ番号とを取得し、認証部４４に提供する。認証部４４は、提供された発信元電話番号が、認証データ記憶部５２に記憶された図３に示すような許可電話番号テーブルに登録されているか否かを判定して、登録されている場合には、認証が成功したと判断する。一方、許可電話番号テーブルに、発信元電話番号が登録されていない場合には、以下のような認証を行う。
【００２０】
すなわち、認証部４４は、発信元の通信端末２００に対して認証用の規則的に変化する音声として、音声データ記憶部５６に記憶されている、例えば「あ  い  う  え  お  か  き  く  け  こ  ・・・」などの所定の間隔で一単語ずつ有声音が再生される音声データを出力する。通信端末２００は、その音声データを再生中に、利用者から通信端末２００に設けられた不図示のテンキーなどの操作部を介して、パスワードとしてのＰＢ信号の入力を受け付け、ＰＢ信号の入力タイミングを示す情報として、ＰＢ信号が入力された時点における音声データの再生時間を示す再生時間データを取得する。さらに、通信端末２００は、入力されたＰＢ信号ともに取得した再生時間データをセキュリティ制御装置１００に送信する。セキュリティ制御装置１００は、認証部４４において、認証データ記憶部５２に記憶されている図４に示すような認証条件テーブルを参照して、着呼時に取得したサブ番号に対応する行のパスワードと受信したＰＢ信号とが一致し、かつ、受信したＰＢ信号の入力タイミングと当該行の許可タイミングとが一致するか否かを判定して、それぞれが一致する場合に、認証に成功したと判断する。
【００２１】
上記のように、認証部４４が認証に成功したと判断した場合には、取得したサブ番号を機器制御部４６に提供し、対象機器の制御を依頼する。機器制御部４６は、認証部４４からサブ番号の提供受けて、制御内容記憶部５４に記憶された図５に示すような制御内容テーブルを参照して、提供されたサブ番号に対応する機器および制御内容を特定し、特定した機器に対して特定した制御内容に基づく制御を行う。
【００２２】
以上のように、構成されたセキュリティ制御装置１００は、通信端末２００からの発呼に応じて、発呼に伴って通信端末２００から提供されるサブ番号に基づき、制御対象の機器の制御を行う。
【００２３】
図６は、着呼を受けた際におけるセキュリティ制御装置１００の処理手順を示すフローチャートである。
【００２４】
図６において、セキュリティ制御装置１００は、通信端末２００から発呼を受けると（Ｓ１００）、通信端末２００が発呼した際に送信された発信元電話番号とサブ番号とを取得する（Ｓ１０２）。次いで、セキュリティ制御装置１００は、認証データ記憶部５２に記憶された許可電話番号テーブルおよび認証データテーブルを参照して、認証を行う（Ｓ１０４）。より具体的には、セキュリティ制御装置１００は、まず、取得した発信元電話番号が、許可電話番号テーブルに登録されているか否かを判定して、登録されている場合には、認証に成功したと判断する。一方、登録されていない場合には、セキュリティ制御装置１００は、通信端末２００に認証用の音声データを送信するとともに、利用者からのパスワードの入力を要求する。要求に応じて、通信端末２００からパスワード（ＰＢ信号）および当該パスワードの入力タイミング（音声データの再生時間）を示す情報とを受信すると、認証データテーブルを参照して、受信した入力タイミングが、ステップＳ１０２で取得したサブ番号に対応する行の許可タイミングと一致し、かつ、受信したパスワードが、当該パスワードと一致する場合に、認証が成功したと判定する。
【００２５】
以上ような認証処理を実行した後、認証に失敗した場合には（ステップＳ１０６の判定結果が、否定「Ｎ」）、セキュリティ制御装置１００は、通信端末２００に対してエラーを通知する（Ｓ１０８）。一方、認証に成功した場合には（ステップＳ１０６の判定結果、肯定「Ｙ」）、セキュリティ制御装置１００は、制御内容テーブルを参照して、検索行のサブ番号に対応する制御対象機器および制御内容を特定し、特定した制御対象機器に対して、特定した制御内容に基づく制御を行う（Ｓ１１０）。
【００２６】
以上のように、本実施形態に係るセキュリティ制御装置１００は、通信端末２００の発呼に応じて、発呼に伴って通信端末２００から提供されるサブ番号に基づき、制御対象の機器の制御を行う。
【００２７】
本実施形態によれば、利用者は、通信端末２００を介して、予め定められた連絡先の電話番号に対して、「＊」などの所定の付加番号と、利用者が制御の依頼を希望する機器および制御内容に対応するサブ番号とを付加した発呼番号を入力して発呼を行うと、認証処理において必要に応じてパスワードの入力さえ行えば、指定した機器に対して利用者が希望する制御が行われる。例えば、通信端末２００のいわゆるアドレス帳機能を利用して、図７に示すようにアドレス帳に各機器の各制御内容をそれぞれ宛先として、各宛先に対する発呼番号として、各サブ番号が付加されたセキュリティ制御装置１００に割り当てられた電話番号を予め登録しておく。利用者は、アドレス帳機能を利用して、図７に示すようなアドレス帳の中から所望の発呼番号を選択して、発呼を行えば、余分なガイダンス情報を聞かずに、利用者が希望する機器に対して希望する制御を実行させることができる。つまり、例えば、利用者が、「風呂起動」に対応する発呼番号をアドレス帳から選択して、発呼を行えば、自宅のお風呂のお湯を沸かすことができる。
【００２８】
また、認証として、パスワードの入力と併せて、パスワードの入力タイミングを照合する方法を採用することで、パスワードの入力のみで認証を行う場合よりも、なりすましなどの不正を抑制することができる。あるいは、パスワードの桁数を少なくしても、パスワードの入力タイミングと併用することで、パスワードの入力タイミングと併用しない場合に比べて、なりすましなどの不正を抑制することができる。つまり、パスワードの入力する桁数を比較的に少なくすることができるため、利用者がパスワードの入力の手間を低減することができる。
【産業上の利用可能性】
【００２９】
本発明は、利用者は通信端末を介して発信先電話番号と関連づけてサブ番号を発呼すれば、所望の機器に対して所望の制御を行わせることができるので、通信端末からの信号に基づいて予め定められた敷地内に設置された制御対象の機器の制御を行うホームセキュリティシステム等に適用することができる。
【図面の簡単な説明】
【００３０】
【図１】本実施形態に係るホームセキュリティシステムの全体構成を示す図である。
【図２】セキュリティ制御装置の機能ブロックを示す図である。
【図３】発信元の通信端末の認証を行う際に認証部によって参照される許可電話番号テーブルの一例を示す図である。
【図４】発信元の通信端末の認証を行う際に認証部によって参照される認証条件テーブルの一例を示す図である。
【図５】機器制御部がサブ番号に基づいて制御対象の機器および制御内容を特定する際に参照される制御内容テーブルの一例を示す図である。
【図６】着呼を受けた際におけるセキュリティ制御装置の処理手順を示すフローチャートである。
【図７】各機器の各制御内容を宛先として、各宛先に対する発呼番号が登録されたアドレス帳の一例を示す図である。
【符号の説明】
【００３１】
１０  ＣＰＵ
１２  ＲＯＭ
１４  ＲＡＭ
３０  記憶装置
４０  プログラム
４２  回線制御部
４４  認証部
４６  機器制御部
５２  認証データ記憶部
５４  制御内容記憶部
５６  音声データ記憶部
１００  セキュリティ制御装置
１２０  機器
２００  通信端末
【図１】
2009302733.tif 000003
【図２】
2009302733.tif 000004
【図３】
2009302733.tif 000005
【図４】
2009302733.tif 000006
【図５】
2009302733.tif 000007
【図６】
2009302733.tif 000008
【図７】
2009302733.tif 000009